Podtech/llm-jp-corpus-v4-ja_patent huggingface dataset:
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
腎機能障害に罹っている対象における血清尿酸レベルを低下させる薬剤であって、式（Ｉ）
【化１】
2014532759.tif 000001
（Ｉ）
［式中、Ｒは、ヒドロキシ、低級アラルコキシ、ジ−低級アルキルアミノ−低級アルコキシ、低級アルカンアミド−低級アルコキシ、ベンズアミド−低級アルコキシ、ウレイド−低級アルコキシ、Ｎ’−低級アルキル−ウレイド−低級アルコキシ、カルバモイル−低級アルコキシ、ハロフェノキシ置換低級アルコキシ、カルバモイル置換フェノキシ、カルボニル−低級アルキルアミノ、Ｎ，Ｎ−ジ−低級アルキルアミノ−低級アルキルアミノ、ハロ置換低級アルキルアミノ、ヒドロキシル置換低級アルキルアミノ、低級アルカノイルオキシ置換低級アルキルアミノ、ウレイドおよび低級アルコキシカルボニルアミノからなる群から選択され；ならびに各Ｘは、独立して、ハロゲンである］
の化合物またはその医薬的に許容される塩を含む、薬剤。
【請求項２】
血清尿酸レベルの上昇に関連する障害および腎機能障害に罹っている対象を治療するための薬剤であって、式（Ｉ）
【化２】
2014532759.tif 000002
（Ｉ）
［式中、Ｒは、ヒドロキシ、低級アラルコキシ、ジ−低級アルキルアミノ−低級アルコキシ、低級アルカンアミド−低級アルコキシ、ベンズアミド−低級アルコキシ、ウレイド−低級アルコキシ、Ｎ’−低級アルキル−ウレイド−低級アルコキシ、カルバモイル−低級アルコキシ、ハロフェノキシ置換低級アルコキシ、カルバモイル置換フェノキシ、カルボニル−低級アルキルアミノ、Ｎ，Ｎ−ジ−低級アルキルアミノ−低級アルキルアミノ、ハロ置換低級アルキルアミノ、ヒドロキシル置換低級アルキルアミノ、低級アルカノイルオキシ置換低級アルキルアミノ、ウレイドおよび低級アルコキシカルボニルアミノからなる群から選択され；ならびに各Ｘは、独立して、ハロゲンである］
の化合物またはその医薬的に許容される塩を含む、薬剤。
【請求項３】
血清尿酸レベルの上昇に関連する障害が、痛風である、請求項２に記載の薬剤。
【請求項４】
前記障害が、急性痛風、慢性痛風、中等度痛風、難治性痛風または重症痛風である、請求項３に記載の薬剤。
【請求項５】
請求項１に記載の式（Ｉ）の化合物を含む、痛風に罹っている対象における高尿酸血症を治療するための薬剤であって、前記対象が腎機能障害に罹っているものである薬剤。
【請求項６】
式（Ｉ）の化合物またはその医薬的に許容される塩が、式（ＩＩ）
【化３】
2014532759.tif 000003
（ＩＩ）
［式中、Ｒ２は、フェニル−低級アルキル、低級アルカンアミド−低級アルキルおよびベンズアミド−低級アルキルからなる群から選択され、ならびに各Ｘは、独立して、ハロゲンである］
の化合物またはその医薬的に許容される塩である、請求項１〜５のいずれか１項に記載の薬剤。
【請求項７】
請求項１に記載の式（Ｉ）の化合物またはその医薬的に許容される塩が、ハロフェナートもしくはハロフェン酸、またはその医薬的に許容される塩、好ましくは、（−）−ハロフェナートもしくは（−）−ハロフェン酸、またはその医薬的に許容される塩である、請求項６に記載の薬剤。
【請求項８】
請求項１に記載の式（Ｉ）の化合物またはその医薬的に許容される塩が、（−）−ハロフェナートである、請求項７に記載の薬剤。
【請求項９】
前記腎機能障害が、慢性腎臓疾患である、請求項１〜８のいずれか１項に記載の薬剤。
【請求項１０】
前記慢性腎臓疾患が、軽度または中等度である、請求項９に記載の薬剤。
【請求項１１】
前記慢性腎臓疾患が、重症である、請求項９に記載の薬剤。
【請求項１２】
前記化合物が、慢性腎臓疾患のステージとは無関係である用量で投与されるものである、請求項８〜１１のいずれか１項に記載の薬剤。
【請求項１３】
前記化合物の投与が、腎機能における顕著な有害効果を生じないものである、請求項１〜１２のいずれか１項に記載の薬剤。
【請求項１４】
前記化合物の投与が、ＨｂＡ１ｃレベルまたは血漿グルコースレベルの低下を生じるものである、請求項１〜１３のいずれか１項に記載の薬剤。
【請求項１５】
前記化合物の投与が、トリグリセリドレベルの低下を生じるものである、請求項１〜１４のいずれか１項に記載の薬剤。
【請求項１６】
請求項１に記載の式（Ｉ）の化合物を含む、痛風に罹っている対象における高尿酸血症を治療するための薬剤であって、前記対象が、アスピリンまたは利尿療法を受けているものである薬剤。
【請求項１７】
請求項１に記載の式（Ｉ）の化合物が、（−）−ハロフェナートである、請求項１６に記載の薬剤。
【請求項１８】
前記化合物が、経口で投与されるものである、請求項１〜１７のいずれか１項に記載の薬剤。
【請求項１９】
前記化合物が、（−）−ハロフェナートであり、前記化合物が、１日あたり約１００ｍｇ〜約６００ｍｇで投与されるものである、請求項１〜１８のいずれか１項に記載の薬剤。
【請求項２０】
キサンチンオキシダーゼ阻害剤、尿酸生成阻害剤、尿酸排泄薬およびウリカーゼからなる群から選択される第２の尿酸低下薬の投与をさらに特徴とする、請求項１〜１９のいずれか１項に記載の薬剤。
【請求項２１】
前記第２の尿酸低下薬が、キサンチンオキシダーゼ阻害剤であり、好ましくは、アロプリノール、フェブキソスタット、オキシプリノール、チソプリン、イノシトール、フィチン酸、ミオイノシトール、ケンフェロール、ミリセチンおよびケルセチンからなる群から選択され、特に、アロプリノールまたはフェブキソスタットである、請求項２０に記載の薬剤。
【請求項２２】
前記第２の尿酸低下薬が、尿酸排泄薬であり、好ましくは、プロベネシド、２−（（５−ブロモ−４−（４−シクロプロピルナフタレン−１−イル）−４Ｈ−１，２，４−トリアゾール−３−イル）チオ）酢酸、カリウム ４−（２−（（５−ブロモ−４−（４−シクロプロピルナフタレン−１−イル）−４Ｈ−１，２，４−トリアゾール−３−イル）チオ）アセトアミド）−３−クロロベンゾエート、ＲＤＥＡ６８４、ベンズブロマロン、スルフィンピラゾン、アムロジピン、アトルバスタチン、フェノフィブラート、グアイフェネシン、ロサルタン、副腎皮質刺激ホルモンおよびコルチゾンからなる群から選択され、特に、プロベネシドである、請求項２１に記載の薬剤。
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
高尿酸血症に罹っている対象の血清尿酸レベルを低下させる薬剤であって、（−）−ハロフェナート、（−）−ハロフェン酸またはその医薬的に許容される塩であり、その（＋）−エナンチオマーを実質的に含まない第１の尿酸低下薬、ならびにキサンチンオキシダーゼ阻害剤である第２の尿酸低下薬の治療上有効量を含む薬剤。
【請求項２】
前記第１の尿酸低下薬が、（−）−ハロフェナートである、請求項１に記載の薬剤。
【請求項３】
前記第１の尿酸低下薬の用量が、約１００ｍｇ／日〜約１０００ｍｇ／日である、請求項１に記載の薬剤。
【請求項４】
前記キサンチンオキシダーゼ阻害剤が、フェブキソスタットである、請求項１に記載の薬剤。
【請求項５】
前記フェブキソスタットの用量が、約１０ｍｇ／日〜約２４０ｍｇ／日である、請求項４に記載の薬剤。
【請求項６】
前記（−）−ハロフェナートの用量が、約４００ｍｇ／日〜約８００ｍｇ／日であり、前記キサンチンオキシダーゼ阻害剤が、フェブキソスタットであり、前記用量が、約４０ｍｇ／日〜約１２０ｍｇ／日である、請求項２に記載の薬剤。
【請求項７】
高尿酸血症に関連する障害に罹っている対象を治療するための薬剤であって、（−）−ハロフェナート、（−）−ハロフェン酸またはその医薬的に許容される塩であり、その（＋）−エナンチオマーを実質的に含まない第１の尿酸低下薬、ならびにキサンチンオキシダーゼ阻害剤である第２の尿酸低下薬の治療上有効量を含む薬剤。
【請求項８】
前記第１の尿酸低下薬が、（−）−ハロフェナートである、請求項７に記載の薬剤。
【請求項９】
前記第１の尿酸低下薬の用量が、約１００ｍｇ／日〜約１０００ｍｇ／日である、請求項７に記載の薬剤。
【請求項１０】
前記キサンチンオキシダーゼ阻害剤が、フェブキソスタットである、請求項７に記載の薬剤。
【請求項１１】
前記フェブキソスタットの用量が、約１０ｍｇ／日〜約２４０ｍｇ／日である、請求項１０に記載の薬剤。
【請求項１２】
前記（−）−ハロフェナートの用量が、約４００ｍｇ／日〜約８００ｍｇ／日であり、前記キサンチンオキシダーゼ阻害剤が、フェブキソスタットであり、前記用量が、約４０ｍｇ／日〜約１２０ｍｇ／日である、請求項８に記載の薬剤。
【請求項１３】
高尿酸血症に関連する障害が、痛風である、請求項７に記載の薬剤。
【請求項１４】
前記障害が、難治性痛風である、請求項１３に記載の薬剤。
【請求項１５】
痛風に罹っている対象の高尿酸血症を治療するための薬剤であって、（−）−ハロフェナート、（−）−ハロフェン酸またはその医薬的に許容される塩であり、その（＋）−エナンチオマーを実質的に含まない第１の尿酸低下薬、ならびにキサンチンオキシダーゼ阻害剤である第２の尿酸低下薬の治療上有効量を含む薬剤。
【請求項１６】
前記第１の尿酸低下薬が、（−）−ハロフェナートである、請求項１５に記載の薬剤。
【請求項１７】
前記第１の尿酸低下薬の用量が、約１００ｍｇ／日〜約１０００ｍｇ／日である、請求項１５に記載の薬剤。
【請求項１８】
前記キサンチンオキシダーゼ阻害剤が、フェブキソスタットである、請求項１５に記載の薬剤。
【請求項１９】
前記フェブキソスタットの用量が、約１０ｍｇ／日〜約２４０ｍｇ／日である、請求項１８に記載の薬剤。
【請求項２０】
前記（−）−ハロフェナートの用量が、約４００ｍｇ／日〜約８００ｍｇ／日であり、前記キサンチンオキシダーゼ阻害剤が、フェブキソスタットであり、前記用量が、約４０ｍｇ／日〜約１２０ｍｇ／日である、請求項１６に記載の薬剤。
【請求項２１】
前記痛風が、難治性痛風である、請求項１６に記載の薬剤。
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
式（Ｉ）
【化６】
2014532760.tif 000001
（Ｉ）
［式中、Ｒは、ヒドロキシ、低級アラルコキシ、ジ−低級アルキルアミノ−低級アルコキシ、低級アルカンアミド−低級アルコキシ、ベンズアミド−低級アルコキシ、ウレイド−低級アルコキシ、Ｎ’−低級アルキル−ウレイド−低級アルコキシ、カルバモイル−低級アルコキシ、ハロフェノキシ置換低級アルコキシ、カルバモイル置換フェノキシ、カルボニル−低級アルキルアミノ、Ｎ，Ｎ−ジ−低級アルキルアミノ−低級アルキルアミノ、ハロ置換低級アルキルアミノ、ヒドロキシ置換低級アルキルアミノ、低級アルカノイルオキシ置換低級アルキルアミノ、ウレイドおよび低級アルコキシカルボニルアミノからなる群から選択され；ならびに各Ｘは、独立して、ハロゲンである］
の化合物またはその医薬的に許容される塩を含む、対象によって経験される痛風発赤を治療するための薬剤。
【請求項２】
請求項１に記載の式（Ｉ）の化合物またはその医薬的に許容される塩を含む、対象によって経験される痛風発赤の数、期間、頻度または強さを減少させる薬剤。
【請求項３】
請求項１に記載の式（Ｉ）の化合物を含む、痛風に罹っている対象における高尿酸血症を治療するための薬剤であって、投与の用量、頻度および期間が、この期間中に対象によって経験される痛風発赤の数、期間、頻度または強さを減少させるのに有効であるものである薬剤。
【請求項４】
前記化合物が、約４週間またはそれ以上投与されるものである、請求項３に記載の薬剤。
【請求項５】
前記化合物の１日あたり約１００ｍｇ〜約１０００ｍｇが投与されるものである、請求項３または４に記載の薬剤。
【請求項６】
約２．０またはそれ以下の日中最高最低間の比で（−）−ハロフェン酸を対象に提供するための薬剤であって、請求項１に記載の式（Ｉ）の化合物またはその医薬的に許容される塩を１日あたり約１００ｍｇ〜約１０００ｍｇで前記対象に投与することを特徴とする薬剤。
【請求項７】
前記化合物が、少なくとも約１０日間投与されるものである、請求項６に記載の薬剤。
【請求項８】
請求項１に記載の式（Ｉ）の化合物またはその医薬的に許容される塩が、式（ＩＩ）
【化７】
2014532760.tif 000002
（ＩＩ）
［式中、Ｒ２は、フェニル−低級アルキル、低級アルカンアミド−低級アルキルおよびベンズアミド−低級アルキルからなる群から選択され；ならびに各Ｘは、独立して、ハロゲンである］
の化合物またはその医薬的に許容される塩である、請求項１〜７のいずれか１項に記載の薬剤。
【請求項９】
請求項１に記載の式（Ｉ）の化合物またはその医薬的に許容される塩が、（−）−ハロフェナートもしくは（−）−ハロフェン酸、またはその医薬的に許容される塩である、請求項１〜８のいずれか１項に記載の薬剤。
【請求項１０】
請求項１に記載の式（Ｉ）の化合物またはその医薬的に許容される塩が、（−）−ハロフェナートである、請求項１〜９のいずれか１項に記載の薬剤。
【請求項１１】
前記化合物が、経口で投与されるものである、請求項１〜１０のいずれか１項に記載の薬剤。
【請求項１２】
キサンチンオキシダーゼ阻害剤、尿酸生成阻害剤、尿酸排泄薬およびウリカーゼからなる群から選択される第２の尿酸低下薬の投与をさらに含む、請求項１〜１１のいずれか１項に記載の薬剤。
【請求項１３】
第２の尿酸低下薬が、好ましくは、アロプリノール、フェブキソスタット、オキシプリノール、チソプリン、イノシトール、フィチン酸、ミオイノシトール、ケンフェロール、ミリセチンおよびケルセチンからなる群から選択され、特に、アロプリノールまたはフェブキソスタットである、キサンチンオキシダーゼ阻害剤である、請求項１２に記載の薬剤。
【請求項１４】
前記第１の尿酸低下薬が、（−）−ハロフェナートであり、１日あたり約１００ｍｇ〜約６００ｍｇで投与され、前記第２の尿酸低下薬が、フェブキソスタットであり、１日あたり約４０ｍｇ〜約１２０ｍｇで投与されるものである、請求項１２に記載の薬剤。
【請求項１５】
前記第２の尿酸低下薬が、尿酸排泄薬であり、好ましくは、プロベネシド、２−（（５−ブロモ−４−（４−シクロプロピルナフタレン−１−イル）−４Ｈ−１，２，４−トリアゾール−３−イル）チオ）酢酸、カリウム ４−（２−（（５−ブロモ−４−（４−シクロプロピルナフタレン−１−イル）−４Ｈ−１，２，４−トリアゾール−３−イル）チオ）アセトアミド）−３−クロロベンゾエート、ＲＤＥＡ６８４、ベンズブロマロン、スルフィンピラゾン、アムロジピン、アトルバスタチン、フェノフィブラート、グアイフェネシン、ロサルタン、副腎皮質刺激ホルモンおよびコルチゾンからなる群から選択され、特に、プロベネシドである、請求項１４に記載の薬剤。
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
１）プルーンもしくはプラム濃縮物またはその混合物であって、当該濃縮物の糖度が≧７０ブリックス（°Ｂｘ）であるもの；および
２）イヌリン、ガラクトオリゴ糖、乳果オリゴ糖、またはそれらの混合物から選択される１つ以上の水溶性で非消化性のプレバイオティクオリゴ糖、を含む下剤製剤。
【請求項２】
３）カルシウムセンノシドもしくはセンノシド抽出物；および
４）ＰＥＧ−３３５０、を更に含む下剤製剤。
【請求項３】
イヌリンに対するガラクトオリゴ糖および／または乳果オリゴ糖の比率は、イヌリンの１：９９〜９９：１重量％である、請求項１又は２に記載の製剤。
【請求項４】
プルーンもしくはプラム濃縮物に対する水溶性で非消化性のプレバイオティクオリゴ糖の比率は、９０重量％〜６０重量％の範囲の濃縮物に対し、１０重量％〜４０重量％の範囲のオリゴ糖である、請求項１又は２に記載の製剤。
【請求項５】
低カロリー甘味料；食品認可された抗酸化剤；カルシウムセンノシドもしくはセンノシド抽出物；ＰＥＧ−３３５０；水溶性ビタミン；乳化脂溶性ビタミン；ゼラチン、寒天、カラギーナン、ペクチン；ココアパウダー；カフェイン；アミノ酸；および甘草、果物、スパイスまたは他の香料：から選択される１つ以上の追加成分をさらに含む、請求項１又は２に記載の製剤。
【請求項６】
前記低カロリー甘味料は、キシリトール、ソルビトール、またはそれらの混合物である、請求項５に記載の製剤。
【請求項７】
キシリトール、ソルビトール、またはそれらの混合物の比率は、プルーンおよび／またはプラム濃縮物の５〜３５重量％である、請求項６に記載の製剤。
【請求項８】
前記抗酸化剤は、アスコルビン酸、クエン酸または安息香酸ナトリウムであり、
使用する抗酸化剤の割合はプルーンもしくはプラム濃縮物の０．１２５〜２重量％である、請求項５に記載の製剤。
【請求項９】
米国薬局方（ＵＳＰ）によるアッセイ結果が６０％の水溶性カルシウムセンノシド、あるいはＳ．ＡｌｅｘａｎｄｒｉｎａもしくはＳ．ＡｎｇｕｓｔｉｆｏｌｉａもしくはＳ．Ｃａｓｓｉａから選択されるセンナ植物の実および／または葉由来の粉末形態であるセンノシドの３〜８％水−エタノール抽出物が、前記濃縮物の０．０５〜０．２５重量％で存在する、請求項５に記載の製剤。
【請求項１０】
前記プルーン／プラム濃縮物が、前記プレバイオティクオリゴ糖の０．０２５〜５重量％の範囲で存在し、そしてカルシウムセンノシドもしくはセンノシド抽出物が、イヌリン、プレバイオティク、および他の賦形剤の総重量の０．０２５〜５％で存在し、容器に液体として充填される、請求項５に記載の製剤。
【請求項１１】
前記水溶性ビタミンは、チアミン；リボフラビン；ナイアシン；葉酸；ビタミンＢ６；ビタミンＢ１２；パントテン酸；ビオチン；またはコリン：のうち１つ以上のビタミンＢである、請求項５に記載の製剤。
【請求項１２】
１回の用量あたり５０ｇの前記製剤中、チアミンを使用する場合の量は２〜５ｍｇ；リボフラビンを使用する場合の量は１．３〜１．８ｍｇ；ナイアシンを使用する場合の量は１６〜３２ｍｇ；葉酸を使用する場合の量は４００ｍｃｇ；ビタミンＢ６を使用する場合の量は６〜１０ｍｇ；ビタミンＢ１２を使用する場合の量は５００〜１０００ｍｃｇ；パントテン酸を使用する場合の量は１０〜ｌ２ｍｇ；ビオチンを使用する場合の量は３０〜１００ｍｃｇ；またはコリンを使用する場合の量は４００〜６００ｍｇである、請求項１１に記載の製剤。
【請求項１３】
前記脂溶性ビタミンは、ビタミンＡ；ビタミンＤ；天然または合成ビタミンＥ；またはビタミンＫ：のうち１つ以上である、請求項５に記載の製剤。
【請求項１４】
１回の用量あたり５０ｇの前記製剤中、ビタミンＡを使用する場合の量は７００〜３０００ｍｃｇ；ビタミンＤを使用する場合の量は５〜５０ｍｃｇ；天然または合成ビタミンＥを使用する場合の量は２００〜１５００ＩＵ；またはビタミンＫを使用する場合の量は９０〜１２０ｍｃｇである、請求項１３に記載の製剤。
【請求項１５】
カフェインが、５０ｇの前記製剤中に，７５〜３５０ｍｇの量で存在する、請求項５に記載の製剤。
【請求項１６】
１つ以上のアミノ酸が、前記製剤中に、タウリンもしくは２−アミノエタンスルホン酸；フェニルアラニンもしくはチロシンもしくはＮ−アセチルチロシン；またはトリプトファンとして存在する、請求項５に記載の製剤。
【請求項１７】
５０ｇの前記製剤中に、タウリンもしくは２−アミノエタンスルホン酸を使用する場合の量は１０００〜３０００ｍｇ；フェニルアラニンもしくはチロシンもしくはＮ−アセチルチロシンを使用する場合の量は１０００〜２０００ｍｇ；またはトリプトファンを使用する場合の量は２００〜３００ｍｇである、請求項１６に記載の製剤。
【請求項１８】
前記製剤は、
（ｉ）パワーバー、朝食バーもしくはエネルギーバー、
（ｉｉ）ヨーグルトもしくはプロバイオティクヨーグルト、フローズンヨーグルト、スムージー、スラッシュ氷、
（ｉｉｉ）小片またはチップとして３〜５ｇのグミ、フルーツロールアップ、ガムドロップもしくは中央が液体のガムドロップとしてフルーツチューズ、トレイルミックス、フルーツチューズまたはサワーグミ、
（ｉｖ）チョコレート、キャラメル、トフィー、ミント、ボンボン、ファッジ、トリュフ、もしくはキャンディー、または
（ｖ）デザートとして：
のうちの１つの中に、１回量が４０ｇ〜１００ｇで提供される、請求項５に記載の製剤。
【手続補正書】
【提出日】平成27年9月14日(2015.9.14)
【手続補正１】
【補正対象書類名】明細書
【補正対象項目名】０００４
【補正方法】変更
【補正の内容】
【０００４】
上記で概説した欠点を考慮すると、薬物の溶解性を改善し、貯蔵寿命および安定性を延長し、副作用を低減した、ＣＰＴおよびその誘導体の医薬組成物を提供する必要がある。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００８／０１９３５０９号明細書
（特許文献２）  米国特許出願公開第２００８／０２１３３８５号明細書
（特許文献３）  国際公開第０１／８５１３１号
（特許文献４）  米国特許出願公開第２００４／０２４７６２４号明細書
（特許文献５）  米国特許出願公開第２０１０／０１６６８４３号明細書
【手続補正書】
【提出日】平成27年10月6日(2015.10.6)
【手続補正１】
【補正対象書類名】特許請求の範囲
【補正対象項目名】全文
【補正方法】変更
【補正の内容】
【特許請求の範囲】
【請求項１】
患者における減量または血糖コントロールの改善をもたらすために、前記患者に有効量を投与することによる治療に使用するための医薬の調製のための、
ＡｃＣＳＮＬＳＴＣＶＬＧＫＬＳＱＥＬＨＫＬＱＴＹＰＲＴＤＶＧＡＮＡＰ−ＮＨ２（配列番号１５）、
ＡｃＣＳＮＬＳＴＣＶＬＧＲＬＳＱＥＬＨＲＬＱＴＦＰＲＴＤＶＧＡＮＴＡｃＹ（配列番号１２）、および
ＳｕｃｃＣＳＮＬＳＴＣＶＬＧＫＬＳＱＥＬＨＫＬＱＴＹＰＲＴＤＶＧＡＮＡＹ−ＮＨ２（配列番号１７）
からなる群から選択されるペプチドの使用。
【請求項２】
前記ペプチドが、腸内投与用に製剤化される、請求項１に記載の使用。
【請求項３】
前記ペプチドが、非経口投与用に製剤化される、請求項１に記載の使用。
【請求項４】
前記ペプチドが、経口投与用の担体と共に製剤化され、前記担体が、前記ペプチドの経口バイオアベイラビリティーを増大させる、請求項１に記載の使用。
【請求項５】
前記担体が、５−ＣＮＡＣ、ＳＮＡＤ、またはＳＮＡＣを含む、請求項４に記載の使用。
【請求項６】
前記ペプチドが、コーティングされたクエン酸粒子を含む経口投与用の医薬組成物中に製剤化され、前記コーティングされたクエン酸粒子が、前記ペプチドの経口バイオアベイラビリティーを増大させる、請求項１〜５のいずれか１項に記載の使用。
【請求項７】
前記投与が、前記患者における食後の血糖コントロールを改善するために行われる、請求項１〜６のいずれか１項に記載の使用。
【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
対象における細菌による腸内毒素症（dysbiosis）を治療するための有効量のリファキシミンを含有する医薬組成物であって、対象が以前に過敏性腸症候群(IBS)の治療のためにリファキシミンを投与されたことがある、上記組成物。
【請求項２】
550mgのリファキシミンを1日3回（TID）投与する、請求項1に記載の医薬組成物。
【請求項３】
IBS又は細菌による腸内毒素症が、ラクトース呼気試験又はグルコース呼気試験を使用して特定されている、請求項1に記載の医薬組成物。
【請求項４】
リファキシミンを14日間投与する、請求項1に記載の医薬組成物。
【請求項５】
治療により、下痢型IBS(d-IBS)の症候性再発の急性治療がもたらされる、請求項1に記載の医薬組成物。
【請求項６】
下痢型IBS(d-IBS)を再治療するための医薬組成物であって、リファキシミンを14日間投与するように使用する、上記組成物。
【請求項７】
薬学的に許容される担体をさらに含む請求項6に記載の医薬組成物であって、リファキシミンが、α型、β型、γ型、δ型、ε型、ζ型、η型、ι型、カッパ型、λ型、mu型、オミクロン型、pi型、シータ型、xi型、メシレート型及び非晶質形態からなる群から選択される1種以上の形態のリファキシミンを含む、上記組成物。
【請求項８】
クロストリジウム・ディフィシル（C. difficile）感染症(CDI)を治療するための医薬組成物であって、薬学的に許容される担体と、α型、β型、γ型、δ型、ε型、ζ型、η型、ι型、カッパ型、λ型、mu型、オミクロン型、pi型、シータ型、xi型、メシレート型及び非晶質形態からなる群から選択される1種以上の形態のリファキシミンを含み、クロストリジウム・ディフィシル便毒素アッセイ又は発熱、吐き気、食欲不振、嘔吐、及び重度の腹痛/不快感からなる群から選択される腸管感染症の少なくとも1つの徴候によってCDIが特定される、上記組成物。
【請求項９】
治療が、治癒試験(TOC)において重度の腹痛がないこと、TOCにおいて発熱がないこと、TOCにおける<3の軟便、及びクロストリジウム・ディフィシル便毒素アッセイスコアにおける改善によるもの、の群から選択される少なくとも1つと定義される、請求項8に記載の医薬組成物。
【請求項１０】
リファキシミンを7日間〜21日間投与する、請求項8に記載の医薬組成物。
【請求項１１】
リファキシミンを10日間投与する、請求項8に記載の医薬組成物。
【請求項１２】
400mgのリファキシミンを1日3回(TID)投与する、請求項8に記載の医薬組成物。
【請求項１３】
1日当たり1200mgのリファキシミンを投与する、請求項8に記載の医薬組成物。
【請求項１４】
コーティングされた若しくはコーティングされてない錠剤、硬質若しくは軟質ゼラチンカプセル剤、糖衣を有する丸剤、ロゼンジ剤、ウエハーシート、ペレット剤、及び密封されたパケット内の散剤から選択される形態に製剤化される、請求項8に記載の医薬組成物。
【請求項１５】
抗生剤耐性クロストリジウム・ディフィシル感染症(CDI)を治療するための医薬組成物であって、リファキシミンを投与するように使用する、上記組成物。
【請求項１６】
CDIがバンコマイシン耐性である、請求項15に記載の医薬組成物。
【請求項１７】
下痢型IBS(d-IBS)又は非便秘型IBS(非C IBS)を有する対象を再治療するための医薬組成物であって、550mgのリファキシミンを1日3回(TID)、14日間投与するように使用する、上記組成物。
【請求項１８】
対象が、以前にリファキシミン治療に応答したことがある、請求項17に記載の医薬組成物。
【請求項１９】
対象が、d-IBS又は非C IBSの再発を有している、請求項17に記載の医薬組成物。
【請求項２０】
再発が、d-IBS又は非C IBSの非治療期間中少なくとも2週間の腹痛を特徴とする、請求項19に記載の医薬組成物。
【請求項２１】
再発が、d-IBS又は非C IBSの非治療期間中少なくとも3週間の腹痛を特徴とする、請求項20に記載の医薬組成物。
【請求項２２】
再発が、d-IBS又は非C IBSの非治療期間中少なくとも2週間の便の固さの消失を特徴とする、請求項19に記載の医薬組成物。
【請求項２３】
再発が、d-IBS又は非C IBSの非治療期間中少なくとも3週間の便の固さの消失を特徴とする、請求項22に記載の医薬組成物。
【請求項２４】
リファキシミンを14日〜24カ月の間投与する、請求項17に記載の医薬組成物。
【請求項２５】
d-IBS又は非C IBSを再治療することが、d-IBS関連の腹痛又は非C IBS関連の腹痛を改善することを含む、請求項17に記載の医薬組成物。
【請求項２６】
d-IBS又は非C IBSを再治療することが、便の硬さを改善することを含む、請求項17に記載の医薬組成物。
【請求項２７】
d-IBS又は非C IBSを再治療することが、d-IBS関連の腹痛及び便の硬さを改善すること又は非C IBS関連の腹痛及び便の硬さを改善すること、及び1日毎のd-IBS又は非C IBS症状の週平均において少なくとも1ポイントの改善を含む、請求項17に記載の医薬組成物。
【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
（ｉ）少なくとも４個の二重結合を有する少なくとも３０重量％の１つまたは複数の多価不飽和脂肪酸；
（ｉｉ）少なくとも１つの第１の抗酸化剤；および
（ｉｉｉ）１０００ｐｐｍ未満のレシチン
を含んでなる油。
【請求項２】
アスコルビン酸誘導体から選択される、７５０ｐｐｍ未満の第２の抗酸化剤をさらに含んでなる請求項１に記載の油。
【請求項３】
（ｉ）少なくとも４個の二重結合を有する少なくとも３０重量％の１つまたは複数の多価不飽和脂肪酸；
（ｉｉ）少なくとも１つの第１の抗酸化剤；および
（ｉｉｉ）アスコルビン酸誘導体から選択される７５０ｐｐｍ未満の第２の抗酸化剤を含んでなる油。
【請求項４】
前記油が、１５０ｐｐｍ未満のレシチンを含んでなる請求項３に記載の油。
【請求項５】
前記油が、３０ｐｐｂ未満の鉄を含んでなる請求項１〜４のいずれか一項に記載の油。
【請求項６】
（ｉ）少なくとも４個の二重結合を有する少なくとも１つの多価不飽和脂肪酸；
（ｉｉ）少なくとも１つの第１の抗酸化剤；および
（ｉｉｉ）３０ｐｐｂ未満の鉄
を含んでなる油。
【請求項７】
（ｉ）少なくとも４炭素−炭素二重結合を有する少なくとも３０重量％の１つまたは複数の多価不飽和脂肪酸；
（ｉｉ）少なくとも１つの第１の抗酸化剤；および
（ｉｉｉ）酸化安定性を改善する手段
を含んでなる油において、１．５未満の魚臭を有する油。
【請求項８】
前記油が、１０００ｐｐｍ未満のレシチンを含んでなる請求項６または７に記載の油。
【請求項９】
前記油が、７５０ｐｐｍ未満の第２の抗酸化剤を含んでなる請求項６〜８のいずれか一項に記載の油。
【請求項１０】
前記油が、３０ｐｐｂ未満の鉄を含んでなる請求項７〜９のいずれか一項に記載の油。
【請求項１１】
前記油が、着香剤をさらに含んでなる請求項１〜１０のいずれか一項に記載の油。
【請求項１２】
前記着香剤が、ローズマリー抽出物である請求項１１に記載の油。
【請求項１３】
（ａ）前記油が、アスコルビン酸誘導体から選択される第２の抗酸化剤を本質的に含まない、または（ｂ）前記油が、アスコルビン酸誘導体から選択される第２の抗酸化剤を含まない請求項１〜１２のいずれか一項に記載の油。
【請求項１４】
前記アスコルビン酸誘導体が、５０ｐｐｍ〜４００ｐｐｍの範囲の量で存在する請求項１〜１２のいずれか一項に記載の油。
【請求項１５】
前記第２の抗酸化剤が、パルミチン酸アスコルビルである請求項２〜５、および９〜１３のいずれか一項に記載の油。
【請求項１６】
前記油が、１．５未満の魚臭感覚値を有する、請求項１〜６および１１〜１５のいずれか一項に記載の油。
【請求項１７】
（ｃ）前記油が、２．５未満の魚臭芳香物質感覚値を有する、（ｄ）前記油が、５未満のＰＯＶを有する、および／または（ｅ）前記油が、２０未満のＡｎＶを有する請求項１〜１６のいずれか一項に記載の油。
【請求項１８】
前記少なくとも１つの第１の抗酸化剤が、混合トコフェロールである請求項１〜１７のいずれか一項に記載の油。
【請求項１９】
前記少なくとも１つの第１の抗酸化剤が、添加トコフェロール、緑茶抽出物、およびそれらの組み合わせから選択される請求項１〜１８のいずれか一項に記載の油。
【請求項２０】
前記油が有機油および／または天然油である請求項１〜１９のいずれか一項に記載の油。
【請求項２１】
前記油および／または前記少なくとも４個の二重結合を有する少なくとも１つの多価不飽和脂肪酸が、少なくとも１種の微細藻類、魚、植物、種子、またはそれらの組み合わせから得られる請求項１〜２０のいずれか一項に記載の油。
【請求項２２】
前記微細藻類が、ヤブレツボカビ目（Ｔｈｒａｕｓｔｏｃｈｙｔｒｉａｌｅｓ）である請求項２１に記載の油。
【請求項２３】
前記微細藻類が、スラウストキトリウム属（Ｔｈｒａｕｓｔｏｃｈｙｔｒｉｕｍ）種、シゾキトリウム属（Ｓｃｈｉｚｏｃｈｙｔｒｉｕｍ）種、およびそれらの組み合わせから選択される請求項２１に記載の油。
【請求項２４】
前記少なくとも４個の二重結合を有する少なくとも１つの多価不飽和脂肪酸が、植物または魚から得られる請求項１〜２３のいずれか一項に記載の油。
【請求項２５】
請求項１〜２４のいずれか一項に記載の油と、少なくとも１つのさらなる油とを含んでなる、最終油。
【請求項２６】
前記さらなる油が、植物油から選択される請求項２５に記載の最終油。
【請求項２７】
前記油が食用油である請求項１〜２６のいずれか一項に記載の油。
【請求項２８】
前記少なくとも４個の二重結合を有する少なくとも１つの多価不飽和脂肪酸が、ＤＨＡ、ＥＰＡ、ＤＰＡ  ｎ−３、およびそれらの混合物から選択される請求項１〜２７のいずれか一項に記載の油。
【請求項２９】
前記少なくとも４個の二重結合を有する少なくとも１つの多価不飽和脂肪酸が、ＤＰＡ  ｎ−６およびＡＲＡから選択される請求項１〜２８のいずれか一項に記載の油。
【請求項３０】
前記油が、少なくとも３５重量％及び８０重量％未満のＤＨＡを含んでなる請求項１〜２９のいずれか一項に記載の油。
【請求項３１】
前記油が、少なくとも３５重量％及び８０重量％未満のＤＨＡ＋ＥＰＡを含んでなる請求項１〜３０のいずれか一項に記載の油。
【請求項３２】
（ｆ）前記油が、１９未満のランシマット値を有する、（ｇ）前記油が、０〜３ヶ月間の期間で、１．５未満の魚臭値を有する、および／または（ｈ）０〜３ヶ月間の期間で、２．５未満の魚臭物質値を有する請求項１〜３１のいずれか一項に記載の油。
【請求項３３】
前記油が、１０ｐｐｍ未満のレシチンを含んでなる請求項１〜３２のいずれか一項に記載の油。
【請求項３４】
前記油が、１０００ｐｐｍ〜３０００ｐｐｍの範囲の量でトコフェロールを含んでなる請求項１〜３３のいずれか一項に記載の油。
【請求項３５】
前記油が、３００ｐｐｍ〜１０００ｐｐｍの範囲の量で添加トコフェロールを含んでなる請求項１〜３４のいずれか一項に記載の油。
【請求項３６】
前記油が、１５００ｐｐｍ〜５０００ｐｐｍの範囲の量でローズマリー抽出物を含んでなる請求項１〜３５のいずれか一項に記載の油。
【請求項３７】
前記１つまたは複数の多価不飽和脂肪酸が、ドコサヘキサエン酸（「ＤＨＡ」）、エイコサペンタエン酸（「ＥＰＡ」）、アラキドン酸（「ＡＲＡ」）、ω−３ドコサペンタエン酸（「ＤＰＡ  ｎ−３」）、および／またはω−６ドコサペンタエン酸（「ＤＰＡ  ｎ−６」）を含む請求項１〜３６のいずれか一項に記載の油。
【請求項３８】
食品を調製するための請求項１〜３７のいずれか一項に記載の油の使用。
【請求項３９】
食品添加剤としての請求項１〜３７のいずれか一項に記載の油の使用。
【請求項４０】
請求項１〜３７のいずれか一項に記載の油を食品に組み込むステップを含んでなる、食品を調製する方法。
【請求項４１】
請求項１〜３７のいずれか一項に記載の油を含んでなる、食品。
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
任意選択の第１の成分と、第２の成分と、第３の成分とを含む硬化性組成物であって、
前記任意選択の第１の成分は、前記組成物の総重量基準で１５〜８５重量％で前記組成物中に存在し、
前記任意選択の第１の成分は、コポリマーの総重量基準で少なくとも２８重量％の極性モノマーを含有する、エチレンと極性モノマー由来のコポリマーを含み、
前記極性モノマーは、酢酸ビニル、アルキル（メタ）アクリレート、又はこれらの組み合わせであり、
前記第２の成分は、前記組成物の総重量基準で５〜５０重量％で前記組成物中に存在し、
前記第２の成分は、エチレンと、酢酸ビニル又はアルキル（メタ）アクリレートと、一酸化炭素由来のコポリマーを含み、
前記第３の成分は、コポリマーの総重量基準で少なくとも４５重量％のアルキル（メタ）アクリレートを含有するエチレンとアルキル（メタ）アクリレート由来のコポリマー、アルキル（メタ）アクリレートのポリマー、又はこれらの混合物を含有する、
硬化性組成物。
【請求項２】
前記アルキル（メタ）アクリレートのポリマーが、エチル（メタ）アクリレート、プロピル（メタ）アクリレート、ブチル（メタ）アクリレート、ｎ−ペンチル（メタ）アクリレート、ｎ−ヘキシル（メタ）アクリレート、２−エチルヘキシル（メタ）アクリレート、ｎ−オクチル（メタ）アクリレート、又はこれらの２種以上の組み合わせ、を含む少なくとも１種のアルキル（メタ）アクリレートのホモポリマー又はコポリマーを含み、
前記第２の成分が、前記組成物の総重量基準で１５〜３５重量％で前記組成物中に存在し、
前記第３の成分が、前記組成物の総重量基準で１０〜８０重量％で前記組成物中に存在する、
請求項１に記載の組成物。
【請求項３】
請求項１又は２に記載の組成物を含む又は前記組成物から製造された物品。
【請求項４】
自動車用部品、航空宇宙用部品、鉄道用部品、又はケーブルを含む、請求項３に記載の物品。
【手続補正２】
【補正対象書類名】明細書
【補正対象項目名】００８３
【補正方法】変更
【補正の内容】
【００８３】
表７は、成分Ａ、Ｆ、Ｊに関してゴム１００部に対する部数として表した例１０、１１、１２の組成、及び例１０、１１、１２のガラス転移温度を示している。表７の各例用の成分を、１００℃で１０分間Ｃｏｌｌｉｎロールミルで混合して混合ポリマーを製造した。表７からわかるように、本発明にかかる組成物を含有する試料１１及び１２は、比較例７よりも低いガラス転移温度（Ｔg）を示した。これは、本発明にかかる組成物が、当該技術分野で公知の組成物よりも低い温度でエラストマー部品として使用されうることを意味する。ガラス転移温度はＤＳＣ法を用いてこれらのポリマーブレンドについて測定された。
次に、本発明の態様を示す。
１.  任意選択の第１の成分と、第２の成分と、第３の成分とを含む硬化性組成物であって、前記任意選択の第１の成分は、コポリマーの総重量基準で少なくとも２８重量％の極性モノマーを含有する、エチレンと極性モノマー由来のコポリマーを含み、
前記第２の成分は、エチレンと、酢酸ビニル又はアルキル（メタ）アクリレートと、一酸化炭素由来のコポリマーを含み、
前記第３の成分は、コポリマー総重量基準で少なくとも４５重量％のアルキル（メタ）アクリレートを含有するエチレンとアルキル（メタ）アクリレート由来のコポリマー、アルキル（メタ）アクリレートのポリマー、又はこれらの混合物を含有する、
硬化性組成物。
２.  前記第２の成分が、前記組成物の総重量基準で５〜５０重量％で前記組成物中に存在する、上記１に記載の組成物。
３.  前記極性モノマーが、酢酸ビニル、アルキル（メタ）アクリレート、又はこれらの組み合わせである、上記１又は２に記載の組成物。
４.  前記アルキル（メタ）アクリレートのポリマーが、エチル（メタ）アクリレート、プロピル（メタ）アクリレート、ブチル（メタ）アクリレート、ｎ−ペンチル（メタ）アクリレート、ｎ−ヘキシル（メタ）アクリレート、２−エチルヘキシル（メタ）アクリレート、ｎ−オクチル（メタ）アクリレート、又はこれらの２種以上の組み合わせ、を含む少なくとも１種のアルキル（メタ）アクリレートのホモポリマー又はコポリマーを含む、上記１〜３のいずれか１項に記載の組成物。
５.  前記第２の成分が、前記組成物の総重量基準で３０〜５０重量％で前記組成物中に存在する、上記１〜４のいずれか１項に記載の組成物。
６.  前記第３の成分が、前記組成物の総重量基準で１０〜８０重量％で前記組成物中に存在する、上記１〜５のいずれか１項に記載の組成物。
７.  上記１〜６のいずれか１項に記載の組成物を含む物品。
８.  自動車用部品、航空宇宙用部品、鉄道用部品、又はケーブルを含む、上記７に記載の物品。
９.  自動車用部品、航空宇宙用部品、鉄道用部品、又はケーブルでの硬化性組成物の使用であって、前記硬化性組成物が上記１〜６のいずれか１項の特徴を有するものである、使用。
【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
熱媒体と接触させた１本以上の反応チューブを持つ再循環型ループ反応器中でポリイソブチレン重合体を製造する方法であって、以下の工程を含んでなる方法：
（ａ）  イソブチレン、触媒、および必要に応じ他の供給成分を残存反応器流に供給量で供給して反応混合物を形成する工程；
（ｂ）  再循環流に相当する差圧、ΔＰ、で稼動する再循環ポンプを利用して、前記ループ反応器の前記１本以上の反応チューブ内において前記供給量より大きい再循環量で前記反応混合物を再循環させる工程；
（ｃ）  前記ループ反応器の前記１本以上の反応チューブ内で前記反応混合物を重合させて、重量％で表される転化率でイソブチレンをポリイソブチレン重合体に転化し、その際、前記ループ反応器の前記１本以上のチューブを前記熱媒体で冷却する工程；
（ｄ）  工程（ｂ）と（ｃ）の前記再循環量、ΔＰ、重合反応を制御して、前記ループ反応器の前記１本以上のチューブ内で少なくとも１１フィート／秒の前記反応混合物の線速度を与える工程；但し、イソブチレンの転化率が５５％未満である場合、工程（ｂ）と（ｃ）の前記再循環量、前記ΔＰおよび前記重合反応を制御して、前記１本以上の反応チューブ内で少なくとも１３．５フィート／秒の前記反応混合物の線速度を与える、工程；および
（ｅ）  前記ループ反応器からポリイソブチレン重合体を取出す工程。
【請求項２】
前記ΔＰおよび重合反応を制御して、前記ループ反応器の前記１本以上の反応チューブ内で１１フィート／秒〜２０フィート／秒の前記反応混合物の線速度を与える、
請求項１に記載の方法。
【請求項３】
前記ΔＰおよび重合反応を制御して、前記ループ反応器の前記１本以上の反応チューブ内で少なくとも１５フィート／秒の前記反応混合物の線速度を与える、
請求項２に記載の方法。
【請求項４】
さらに、イソブチレンの転化率が５５％未満である場合、前記１本以上の反応チューブ内での前記反応混合物の前記差圧ΔＰおよび前記重合が少なくとも１５フィート／秒の線速度に相当する、
請求項１に記載の方法。
【請求項５】
前記反応混合物と前記熱媒体との熱伝達係数が少なくとも５５ＢＴＵ／ｈｒ・ｆｔ２・°Ｆである、
請求項１に記載の方法。
【請求項６】
前記ループ反応器から取出された前記ポリイソブチレンが５００〜４０００ダルトンの数平均分子量を持つ高反応性ポリイソブチレンである、
請求項１に記載の方法。
【請求項７】
前記ループ反応器から取出された前記ポリイソブチレンが１５００〜４０００ダルトンの数平均分子量を持つ高反応性ポリイソブチレンである場合、前記ループ反応器が、６５０〜１３５０重合体ポンド／触媒ポンドの触媒錯体ターンオーバー数で操作される、
請求項６に記載の方法。
【請求項８】
前記ループ反応器から取出された前記重合体が５００ダルトン〜４０００ダルトンの数平均分子量を持つ中域ビニリデンポリイソブチレン重合体である、
請求項１に記載の方法。
【請求項９】
前記ループ反応器が、１６００〜３０００重合体ポンド／触媒錯体ポンドの触媒錯体ターンオーバー数で操作される、
請求項８に記載の方法。
【請求項１０】
前記ループ反応器が複数本の反応チューブを持つ、
請求項１に記載の方法。
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
機器プロセスラインにおける閉塞を防止しながら、超臨界水で石油原料を品質向上させる方法であって、
前記石油原料を受容するように品質向上反応炉をプライムするステップであって、前記機器をプライムする前記ステップが、
加熱かつ加圧された水流を第１の混合デバイスに供給するステップであって、前記水流が、水の臨界点より高い温度および圧力にまで加熱かつ加圧される、ステップと、
加熱かつ加圧された起動炭化水素流を前記第１の混合デバイスに供給するステップであって、前記起動炭化水素流が、１０〜２５０℃の温度にまで加熱かつ加圧される、ステップと、
前記加熱かつ加圧された水流と前記加熱かつ加圧された起動炭化水素流とを、前記第１の混合デバイス中で混合して、水および起動炭化水素を含有するプライマー流を生成するステップと、
前記水および起動炭化水素を含有するプライマー流を前記品質向上反応炉に供給するステップであって、前記反応炉が、３８０〜５５０℃である温度に維持されて、処理済のプライマー流を生成し、前記プライマー流が、１０秒〜６０分の前記品質向上反応炉中での滞留時間を有する、ステップと、
前記処理済のプライマー流を、１５０℃未満の温度に冷却するステップと、
前記冷却された処理済のプライマー流を減圧するステップと、
前記冷却された処理済のプライマー流を処理済のプライマーガスと処理済のプライマー液相流とに分離するステップと、
前記処理済のプライマー液相を、再循環起動炭化水素流と再循環水流とに分離するステップと、を含む、プライムするステップと、
前記加熱器、超臨界品質向上反応炉、および冷却デバイスの内部流の前記温度が、少なくとも１０分という時間にわたって、それらの設定点の５％以内に維持されるまで、前記プライムするステップを継続するステップと、
前記品質向上反応炉への前記起動炭化水素を含有するプライマー流の流れを停止して、次に加熱かつ加圧された石油原料を前記第１の混合デバイスに供給するステップであって、前記加熱かつ加圧された石油原料が、１０〜２５０℃の温度に維持される、ステップと、
前記加熱かつ加圧された水流および前記加熱かつ加圧された石油原料を前記第１の混合デバイス中で混合して、水および起動石油原料の混合流を生成するステップと、
水および起動石油原料の混合流を前記品質向上反応炉に供給するステップであって、前記反応炉が、３８０〜５５０℃である温度に維持されて、品質向上された石油含有流を生成し、前記水および起動石油原料の混合流が、１０秒〜６０分の前記品質向上反応炉中での滞留時間を有する、ステップと、
前記品質向上された石油含有流を、１５０℃未満の温度に冷却するステップと、
前記冷却された品質向上された石油含有流を減圧するステップと、
前記冷却された品質向上された石油含有流を、気相の品質向上しかつ脱硫された石油含有流と、液相の品質向上しかつ脱硫された石油含有流とに分離するステップと、
前記液相の品質向上しかつ脱硫された石油含有流を、品質向上し、かつ脱硫された石油生成物流と、再循環水流とに分離するステップと、
を含む、方法。
【請求項２】
前記起動炭化水素が、ベンゼン、トルエン、キシレン、およびエチルベンゼンから選択される、請求項１に記載の方法。
【請求項３】
前記起動炭化水素が、触媒改質炉からの改質油、ＦＣＣユニットからの軽質分解ナフサ、ビスブレーカーナフサ、コークスナフサ、および蒸気分解装置からの熱分解ガソリンから選択される、請求項１に記載の方法。
【請求項４】
前記起動炭化水素が、少なくとも３０体積％の芳香族含有量を有する、請求項１〜３のいずれかに記載の方法。
【請求項５】
前記起動炭化水素が、１０ｐｐｍ未満の固体含有量を有する、請求項１〜４のいずれかに記載の方法。
【請求項６】
前記石油原料が、あらゆる種類の原油、抜頭原油、石油精製所からの前記生成物流、蒸気分解装置からの前記生成物流、液化石炭、オイルサンドから回収された前記液体生成物、瀝青、アスファルテン、およびバイオマスに由来する炭化水素から成る群から選択される、請求項１〜５のいずれかに記載の方法。
【請求項７】
前記水、起動炭化水素、および石油原料流が各々、水の臨界圧力よりも高い圧力に加圧される、請求項１〜６のいずれかに記載の方法。
【請求項８】
前記起動剤と水との体積流量比が、１：５〜１：１である、請求項１〜７のいずれかに記載の方法。
【請求項９】
前記水が、３００〜５５０℃の温度に加熱される、請求項１〜８のいずれかに記載の方法。
【請求項１０】
前記反応炉が、４００〜４５０℃の温度に維持される、請求項１〜９のいずれかに記載の方法。
【請求項１１】
前記混合された水および起動石油原料流が、２０〜３０分の前記品質向上反応炉中での滞留時間を有する、請求項１〜１０のいずれかに記載の方法。
【請求項１２】
前記品質向上反応炉を出る前記品質向上した石油含有流を冷却させる前記ステップが、前記石油含有流を熱変換器に供給することを含み、前記石油含有流が、起動炭化水素または水の石油含有流と熱交換される、請求項１〜１１のいずれかに記載の方法。
【請求項１３】
前記品質向上した石油含有流が、２５〜７５℃の温度に冷却される、請求項１〜１２のいずれかに記載の方法。
【請求項１４】
前記品質向上反応炉を出る品質向上した石油含有流の前記圧力が、０．１〜０．５ＭＰａに軽減される、請求項１〜１３のいずれかに記載の方法。
【請求項１５】
前記再循環起動炭化水素流を前記第１の混合デバイスに再循環させることを更に含む、請求項１〜１４のいずれかに記載の方法。
【請求項１６】
前記再循環水流を前記第１の混合デバイスに再循環させることを更に含む、請求項１〜１５のいずれかに記載の方法。
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
負荷、特には１以上のＬＥＤを有するＬＥＤユニットを駆動するためのドライバ装置において使用する能動コンデンサ回路であって、
−  結合端子であって、これら結合端子の間に結合されるべき負荷を駆動する駆動電圧及び駆動電流を供給するための結合端子と、
−  前記結合端子の間に結合されて、周期的電流を前記駆動電流に変換する出力電力段と、
−  該出力電力段のコンデンサ出力端子と前記結合端子との間に結合された低周波コンデンサと、
−  前記駆動電圧のフィードバック、前記低周波コンデンサの両端間のコンデンサ電圧及び／又は該低周波コンデンサを経るコンデンサ電流から得られる制御信号を使用することにより前記出力電力段を制御する制御ユニットと、
を有する能動コンデンサ回路。
【請求項２】
前記制御ユニットが、前記コンデンサ電流を基準コンデンサ電流に従うように制御する第１フィードバックループを有する請求項１に記載の能動コンデンサ回路。
【請求項３】
前記制御ユニットが、前記駆動電圧から前記基準コンデンサ電流を、前記駆動電圧をハイパスフィルタ処理すると共に該ハイパスフィルタ処理された駆動電圧を駆動電圧増幅係数により増幅することによって決定する請求項２に記載の能動コンデンサ回路。
【請求項４】
前記制御ユニットが、前記駆動電圧増幅係数を前記結合端子の間に結合されるべき前記負荷の動抵抗の電圧降下に依存して決定する請求項３に記載の能動コンデンサ回路。
【請求項５】
前記制御ユニットが、前記コンデンサ電圧を基準コンデンサ電圧の周りで振れるように制御するための第２フィードバックループを有する請求項１に記載の能動コンデンサ回路。
【請求項６】
前記制御ユニットが、前記基準コンデンサ電圧を前記低周波コンデンサの電圧定格に対して決定する請求項５に記載の能動コンデンサ回路。
【請求項７】
前記第１フィードバックループ及び前記第２フィードバックループは、前記第１フィードバックループが内側制御信号を導出するための内側ループを形成すると共に前記第２フィードバックループが外側制御信号を導出するための外側ループを形成するように縦続接続され、前記基準コンデンサ電流は前記駆動電圧から、該駆動電圧をハイパスフィルタ処理し、該ハイパスフィルタ処理された駆動電圧を駆動電圧増幅係数により増幅し、該増幅され且つハイパスフィルタ処理された駆動電圧から前記外側制御信号を減算することによって決定される請求項２及び５に記載の能動コンデンサ回路。
【請求項８】
前記制御ユニットが、前記基準コンデンサ電流を前記第１フィードバックループにおいて前記コンデンサ電流を制御するために使用する前に、該基準コンデンサ電流に変調信号を加算する請求項２に記載の能動コンデンサ回路。
【請求項９】
前記制御ユニットが、前記変調信号を前記駆動電圧及び／又は前記コンデンサ電圧から決定する請求項８に記載の能動コンデンサ回路。
【請求項１０】
前記出力電力段が、双方向コンバータ、特には双方向ブーストコンバータ、双方向バックコンバータ又は双方向バックブーストコンバータを有する請求項１に記載の能動コンデンサ回路。
【請求項１１】
前記制御ユニットが、前記双方向コンバータを準矩形波モードで動作するように制御する請求項１０に記載の能動コンデンサ回路。
【請求項１２】
前記双方向コンバータが、該双方向コンバータのスイッチングノードと結合端子との間に結合された出力インダクタ、及び前記結合端子の間に結合された出力コンデンサを有する請求項１０に記載の能動コンデンサ回路。
【請求項１３】
負荷、特には１以上のＬＥＤを有するＬＥＤユニットを駆動するためのドライバ装置であって、
−  外部電源から周期的電源電圧を入力するための電力入力端子と、
−  前記電力入力端子に結合されて、前記周期的電源電圧を駆動電圧に変換すると共にコンバータ出力端子に中間電流を出力する入力コンバータ段と、
−  該入力コンバータ段の前記コンバータ出力端子に結合された請求項１ないし１２の何れか一項に記載の能動コンデンサ回路と、
を有するドライバ装置。
【請求項１４】
前記制御ユニットが、前記双方向コンバータを前記入力コンバータ段よりも高いスイッチング周波数で動作するように制御する請求項１３に記載のドライバ装置。
【請求項１５】
照明装置であって、
−  外部電源から周期的電源電圧を入力するための電力入力端子と、
−  該電力入力端子に結合されて、前記周期的電源電圧を駆動電圧に変換すると共に、コンバータ出力端子において中間電流を出力する入力コンバータ段と、
−  該入力コンバータ段の前記コンバータ出力端子に結合される請求項１ないし１２の何れか一項に記載の能動コンデンサ回路と、
−  前記結合端子に結合された、１以上の照明ユニット、特には１以上のＬＥＤを有するＬＥＤユニットを有する照明アセンブリと、
を有する照明装置。